(57)【特許請求の範囲】
【請求項１】
滅菌処理済みの歯科治療器具を収納し、該歯科治療器具に紫外線を照射して該歯科治療器具の滅菌状態を保持する歯科治療器具の紫外線照射保存装置であって、該紫外線照射保存装置は、開閉扉を有する室と、該開閉扉に対向する内壁面に一端が固定され他端が前記開閉扉側に向って延長するハンガー部材と、一端が該ハンガー部材の固定端側に固定され他端側が該ハンガー部材に沿って摺動するスプリング部材と、室内に紫外線を照射する紫外線灯とを有し、歯科治療器具が収納された透明体の滅菌袋を前記スプリング部材の下部に設けられた引っ掛け部に着脱自在に吊下げ、前記歯科治療器具に紫外線を照射するようにしたことを特徴とする歯科治療器具の紫外線照射保存装置。
【発明の詳細な説明】
【０００１】
【発明の属する技術分野】
本発明は、オートクレーブ等の滅菌処置済みの歯科治療器具を滅菌効果を保持しながら保存しておくための紫外線照射装置に関する。
【０００２】
【従来の技術】
歯科治療においては、各種インスツルメント、例えば、タービンハンドピース、コントラシャンクハンドピース、スリーウェイシリンジ、超音波スケーラ等種々のインスツルメントを使用するが、これらは、衛生上の観点から、各患者毎に滅菌したものを使用するのが好ましい。そのため、従来より、各医院にオートクレーブ装置（高圧蒸気滅菌装置）を準備しておき、該オートクレーブ装置にてインスツルメントを予め滅菌処理しておき、各患者毎に滅菌処理したものを使用するようにしている。
【０００３】
図３は、本出願人が先に提案した滅菌装置の一例を説明するための全体斜視図で、該滅菌装置は、洗浄部１、高圧蒸気滅菌（オートクレーブ）部２、紫外線照射部３から成り、治療後のインスツルメントをオートクレーブする際、一旦、洗浄部１で水洗い等をした後、オートクレーブ部２でオートクレーブし、オートクレーブした後のインスツルメントを紫外線滅菌室３内に保存して次の患者の使用に対して備えておき患者毎に新しい滅菌処理済みの器具を使用するようにしている。
【０００４】
【発明が解決しようとする課題】
上述のように、歯科治療においては、従来、オートクレーブした歯科治療器具を紫外線照射室に保存しておき、必要に応じて順次取り出して使用するようにしているが、その際、紫外線照射室内において、歯科治療器具が乱雑に、或いは、重ねて置かれているため、紫外線が当らない状態で保存されている器具が生じ、滅菌効果が薄れてしまう等の問題があった。
【０００５】
本発明は、上述のごとき実情に鑑みてなされたもので、オートクレーブ後の歯科治療器具を紫外線照射室に保存しておく際、保存中の全ての歯科治療器具に紫外線が当るようにして、保存中に滅菌効果が薄れてしまうようなことのないようにすることを目的としてなされたものである。
【０００６】
【課題を解決するための手段】
本発明は、滅菌処理済みの歯科治療器具を収納し、該歯科治療器具に紫外線を照射して該歯科治療器具の滅菌状態を保持する歯科治療器具の紫外線照射保存装置であって、該紫外線照射保存装置は、開閉扉を有する室と、該開閉扉に対向する内壁面に一端が固定され他端が前記開閉扉側に向って延長するハンガー部材と、一端が該ハンガー部材の固定端側に固定され他端側が該ハンガー部材に沿って摺動するスプリング部材と、室内に紫外線を照射する紫外線灯とを有し、歯科治療器具が収納された透明体の滅菌袋を前記スプリング部材の下部に設けられた引っ掛け部に着脱自在に吊下げ、前記歯科治療器具に紫外線を照射するようにしたことを特徴としたものである。
【００１０】
【発明の実施の形態】
図１は、本発明が適用される紫外線照射装置の一例を説明するための要部概略構成図で、図１（Ａ）は、紫外線照射室内の概略構成を示し、図中、１０は紫外線照射室、１１は該紫外線照射室の開閉扉、１２は該紫外線照射室１０内に設けられた紫外線灯で、該紫外線灯１２には、好ましくは、紫外線照射室１０内の天井面、側面、底面等、開閉扉１１を開けた時に、該紫外線灯１２からの紫外線が作業者等の目に直接入らない場所に設けられている。
【００１１】
１３は紫外線照射室１０内の奥内面つまり開閉扉１１に対向する壁面に固定されたハンガー部材、１４は一端１４1が該ハンガー部材１３の固定側に固定されたスプリング部材で、該スプリング部材１４の他端１４2は、図１（Ｂ）に示すように、該ハンガー部材１３に沿って摺動可能な自由端となっている。図１（Ｃ）において、１５は透明の滅菌袋で、歯科用治療器具１６は、好ましくは、該透明の滅菌袋１５内に入れられた状態でオートクレーブされ、オートクレーブ後、図１（Ｃ）に示すように、ハンガー部材１３に吊り下げられる。
【００１２】
スプリング部材１４の自由端１４2は、ハンガー部材１３の略先端まで延長可能に設定されており、該ハンガー部材１３に、前述のようにして、滅菌袋１５を吊り下げた時に、該滅菌袋１５は該スプリング１４によって押されてハンガー部材１３の略先端部に押し出される。従って、開閉扉１１を開けた時に、先端の滅菌袋１５が取り出し易い手前位置にあり、取り出し作業が非常に楽である。
【００１３】
ハンガー部材１３の自由端（先端）側１３1には、所望数の滅菌袋１５を吊り下げることができるが、滅菌袋の数が多い時は、その全体重量が重いため、スプリング１４の滅菌袋を押す力が負け、スプリング１４は伸びきることができず、最先端の滅菌袋は、ハンガー部材１３上にその位置を保持することができる。最先端の滅菌袋を取り去ると、その分、滅菌袋全体の重量が減り、その分スプリング１４が伸長し、その分最先端の滅菌袋が押し出され、以下、同様にして、滅菌袋を取り外すごとに次の滅菌袋が順次押し出され、最後の１袋の時、スプリング１４は最大長さ伸長され、この時、最後の１袋がハンガー部材１３から落下することのないようになっている。
【００１４】
一般に、オートクレーブは、各医院に大きなオートクレーブ装置を準備しておき、通常、診療開始前に、医院の所有する全インスツルメントを予め該オートクレーブ装置にて滅菌処理しておき、それを前述のごとき紫外線照射室内に保存し、患者ごとに、順次、取り出して使用するようにしているため、最初に、１つのハンガー部材１３に複数個の滅菌袋１５を吊り下げることになり、図１（Ｃ）に示したように、単に、連続して吊下げた場合は、前後の滅菌袋が重なって、これらの間に紫外線が十分に照射されない場合が生じる。
【００１５】
図２は、上述のごとき問題を解決するための具体例を説明するための図で、例えば、図２（Ａ）に示すように、ハンガー部材１３を挿通する穴１７ａを有するスペーサ１７、或いは、図２（Ｂ）に示すように、ハンガー部材１３の直径より狭い幅のスリット１８ａを有する弾性体のスペーサ部１８を準備しておき、滅菌袋１５とスペーサ部材１７とを順次ハンガー部材１３に挿入して前後の滅菌袋間に間隔をあけたり、弾性体のスペーサ部材１８を滅菌袋間に差し込んで、前後の滅菌袋間に間隔をあけたり、或いは、図２（Ｃ）に示すように、滅菌袋１５の上部に該滅菌袋１５をハンガー部材１３に吊り下するための引っ掛け部１５ａを設けたりして、減菌袋間に間隔を設けることができるが、更には、図２（Ｄ）に示すように、スプリング１４の下部に滅菌袋吊下げ用の引っ掛け部１４ａを設け、この引っ掛け部１４ａに減菌袋を着脱自在に吊り下げるようにすることも可能で、このようにすると、スペーサ部材１８を用いることなく、滅菌袋間に間隔をあけることができる。
【００１６】
【発明の効果】
以上の説明から明らかなように、本発明によると、オートクレーブ後の歯科用治療器具を、紫外線照射室内に、オートクレーブによる滅菌効果を落とすことなく、効果的に保存することができる。
【図面の簡単な説明】
【図１】  本発明が適用される歯科治療器具の紫外線照射装置の一例を説明するための要部構成図である。
【図２】  滅菌袋間に間隔を設ける場合の具体例を説明するための図である。
【図３】  本出願人が先に提案した滅菌装置の一例を説明するための図である。
【符号の説明】
１…洗浄部、２…オートクレーブ部、３…紫外線照射部、１０…紫外線照射室、１１…開閉扉、１２…紫外線灯、１３…ハンガー部材、１４…スプリング、１４ａ…引っ掛け部、１５…滅菌袋、１５ａ…引っ掛け部、１６…歯科治療器具、１７，１８…スペーサ。
【図１】
0003652298.tif 000002
【図２】
0003652298.tif 000003
【図３】
0003652298.tif 000004